(57)【要約】【課題】  本発明の目的は、大量の情報の中から必要な情報を効率よく検索する情報共有装置を提供することである。【解決手段】  複数の登録者がそれぞれ登録した情報を、登録者の識別情報と共に記憶する登録情報記憶手段（５）と、登録情報記憶手段を検索する検索者の検索履歴を、検索者の識別情報と共に記憶する検索履歴記憶手段（６）と、所定の検索者を識別し（７）、この識別結果に基づいて、検索履歴記憶手段から所定の検索者の検索履歴を読み出し、読み出した所定の検索者の検索履歴に基づいて、所定の登録者によって登録された情報を所定の検索者が検索した回数と、複数の登録者によって登録された全情報を所定の検索者が検索した回数から、所定の登録者を、所定の検索者の好む登録者とするかどうかを判断し（２）、所定の検索者からの検索要求を受付け、登録情報記憶手段から情報を検索する際に、好む登録者と判断された登録者が登録した情報を優先的に提示する（１）。【選択図】  図１３
2005353083.tif 000002
【特許請求の範囲】
【請求項１】
複数の登録者がそれぞれ登録した情報を、前記登録者の識別情報と共に記憶する登録情
報記憶手段と、
前記登録情報記憶手段を検索する検索者の検索履歴を、前記検索者の識別情報と共に記
憶する検索履歴記憶手段と、
所定の検索者を識別する識別手段と、
前記識別手段の識別結果に基づいて、前記検索履歴記憶手段から前記所定の検索者の検
索履歴を読み出す読出手段と、
前記読み出した所定の検索者の検索履歴に基づいて、所定の登録者によって登録された
情報を前記所定の検索者が検索した第１の検索回数と、前記複数の登録者によって登録さ
れた全情報を前記所定の検索者が検索した第２の検索回数から、前記所定の登録者を、前
記所定の検索者の好む登録者とするかどうかを判断する判断手段と、
前記所定の検索者からの検索要求を受付け、前記登録情報記憶手段から情報を検索する
際に、前記判断手段によって好む登録者と判断された登録者が登録した情報を優先的に提
示する提示手段と
を備えることを特徴とする情報共有装置。
【請求項２】
前記判断手段は、前記第２の検索回数のうち、前記第１の検索回数が一定の割合を超え
た場合に、前記所定の登録者を、前記所定の検索者の好む登録者とすると判断することを
特徴とする請求項１記載の情報共有装置。
【請求項３】
前記判断手段は、前記第１の検索回数が一定の回数を超えた場合に、前記所定の登録者
を、前記所定の検索者の好む登録者とすると判断することを特徴とする請求項１記載の情
報共有装置。
【請求項４】
前記判断手段は、前記読み出した所定の検索者の検索履歴の検索日時の項を利用して、
ある一定の期間中の前記第２の検索回数の中に占める前記第１の検索回数が一定比率を超
えた場合に、前記所定の登録者を、前記所定の検索者の好む登録者とすると判断すること
を特徴とする請求項１記載の情報共有装置。
【請求項５】
前記所定の検索者の好む登録者が情報を登録した場合に、新規に情報が登録されたこと
を各検索者に通知する手段を有することを特徴とする請求項１乃至４記載の情報共有装置
。
【請求項６】
前記好む登録者を好みとしている検索者一覧を生成する手段と、
この手段によって生成された検索者一覧を前記好む登録者に呈示する手段を有すること
を特徴とする請求項１乃至４記載の情報共有装置。
【請求項７】
複数の登録者がそれぞれ登録した情報を、前記登録者の識別情報と共に予め記憶し、
前記登録情報記憶手段を検索する検索者の検索履歴を、前記検索者の識別情報と共に予
め記憶している情報共有方法であって、
所定の検索者を識別し、
前記識別結果に基づいて、前記検索履歴記憶手段から前記所定の検索者の検索履歴を読
み出し、
前記読み出した所定の検索者の検索履歴に基づいて、所定の登録者によって登録された
情報を前記所定の検索者が検索した第１の検索回数と、前記複数の登録者によって登録さ
れた全情報を前記所定の検索者が検索した第２の検索回数から、前記所定の登録者を、前
記所定の検索者の好む登録者とするかどうかを判断し、
前記所定の検索者からの検索要求を受付け、前記登録情報記憶手段から情報を検索する
際に、前記好む登録者と判断された登録者が登録した情報を優先的に提示することを特徴
とする情報共有方法。
【発明の詳細な説明】
【技術分野】
【０００１】
本発明は、例えば、個人が持つ知識、ノウハウや、個人が作成した文書、コンピュータ
・ソフトウェア、絵画などの著作物や特定のグループが所有している分野の知識などの情
報をコンピュータ・ネットワーク上で公開し、コンピュータ・ネットワークを介して共有
できるようにする情報共有装置および方法に関する。
【背景技術】
【０００２】
近年、コンピュータ・ネットワークの普及により、個人の情報発信の方法も、従来の組
織階層を経由するやり方から誰にでも直接公開できるようになってきた。このような環境
の変化により、個人が自主的に情報公開することにより、自己の特質、成果をアピールし
やすくなると同時に、公開された個人の成果、情報、ノウハウ、知識を共有することによ
り、組織全体の知的生産性も向上する。
【０００３】
このようなコンピュータ・ネットワーク上の情報共有の手段としては、コンピュータ・
ネットワーク上の電子掲示板、インターネットのホームページなどが用いられている。
【０００４】
また、これらの公開された情報を効率よく管理するために、ネットワーク上に存在する
情報の検索を行うサービスも実現されてきている。ユーザが自分の要求を入力することに
より、システムが適合する情報をネットワーク上から探し出して呈示するシステムも開発
されてきた。
【発明の開示】
【発明が解決しようとする課題】
【０００５】
これまでの情報共有システムでは、ユーザに置かれている状況（地位、経験や専門知識
の有無、嗜好など）によって情報の価値が異なってくる。すなわち、あるユーザにとって
は役に立つ情報であっても、他のユーザにはそれほど役に立たない情報であることがある
。登録される情報の量が大量になってくると、検索要求に対して提示される回答の一覧の
中から自分に取って役立つ情報を捜し出すのに手間がかかる。
【０００６】
そこで本発明では、あるユーザのそれまでの選択した情報の登録ユーザＩＤから、前記
ユーザの好むユーザの集合を自動的に作成し、検索結果を呈示する際に、前記好むユーザ
の集合に属するユーザが登録した情報のみを表示する、あるいは呈示の優先順位を上げる
などして、ユーザの情報検索の手間を削減する。
【課題を解決するための手段】
【０００７】
第１の発明は、複数の登録者がそれぞれ登録した情報を、前記登録者の識別情報と共に
記憶する登録情報記憶手段と、前記登録情報記憶手段を検索する検索者の検索履歴を、前
記検索者の識別情報と共に記憶する検索履歴記憶手段と、所定の検索者を識別する識別手
段と、前記識別手段の識別結果に基づいて、前記検索履歴記憶手段から前記所定の検索者
の検索履歴を読み出す読出手段と、前記読み出した所定の検索者の検索履歴に基づいて、
所定の登録者によって登録された情報を前記所定の検索者が検索した第１の検索回数と、
前記複数の登録者によって登録された全情報を前記所定の検索者が検索した第２の検索回
数から、前記所定の登録者を、前記所定の検索者の好む登録者とするかどうかを判断する
判断手段と、前記所定の検索者からの検索要求を受付け、前記登録情報記憶手段から情報
を検索する際に、前記判断手段によって好む登録者と判断された登録者が登録した情報を
優先的に提示する提示手段とを備えることを特徴とする情報共有装置である。
【０００８】
第２の発明は、前記判断手段は、前記第２の検索回数のうち、前記第１の検索回数が一
定の割合を超えた場合に、前記所定の登録者を、前記所定の検索者の好む登録者とすると
判断することを特徴とする第１の発明記載の情報共有装置である。
【０００９】
第３の発明は、前記判断手段は、前記第１の検索回数が一定の回数を超えた場合に、前
記所定の登録者を、前記所定の検索者の好む登録者とすると判断することを特徴とする第
１の発明記載の情報共有装置である。
【００１０】
第４の発明は、前記判断手段は、前記読み出した所定の検索者の検索履歴の検索日時の
項を利用して、ある一定の期間中の前記第２の検索回数の中に占める前記第１の検索回数
が一定比率を超えた場合に、前記所定の登録者を、前記所定の検索者の好む登録者とする
と判断することを特徴とする第１の発明記載の情報共有装置である。
【００１１】
第５の発明は、前記所定の検索者の好む登録者が情報を登録した場合に、新規に情報が
登録されたことを各検索者に通知する手段を有することを特徴とする第１乃至第４の発明
記載の情報共有装置である。
【００１２】
第６の発明は、前記好む登録者を好みとしている検索者一覧を生成する手段と、この手
段によって生成された検索者一覧を前記好む登録者に呈示する手段を有することを特徴と
する第１乃至第４の発明記載の情報共有装置である。
【００１３】
第７の発明は、複数の登録者がそれぞれ登録した情報を、前記登録者の識別情報と共に
予め記憶し、前記登録情報記憶手段を検索する検索者の検索履歴を、前記検索者の識別情
報と共に予め記憶している情報共有方法であって、所定の検索者を識別し、前記識別結果
に基づいて、前記検索履歴記憶手段から前記所定の検索者の検索履歴を読み出し、前記読
み出した所定の検索者の検索履歴に基づいて、所定の登録者によって登録された情報を前
記所定の検索者が検索した第１の検索回数と、前記複数の登録者によって登録された全情
報を前記所定の検索者が検索した第２の検索回数から、前記所定の登録者を、前記所定の
検索者の好む登録者とするかどうかを判断し、前記所定の検索者からの検索要求を受付け
、前記登録情報記憶手段から情報を検索する際に、前記好む登録者と判断された登録者が
登録した情報を優先的に提示することを特徴とする情報共有方法である。
【発明の効果】
【００１４】
本発明によれば、大量の情報の中から必要な情報を効率よく検索することが可能になり
、情報共有化が促進される。
【発明を実施するための最良の形態】
【００１５】
［第１の実施例］
以下、添付図面を用いて本発明の実施例を説明する。図１は、本発明の一実施例に係る
情報共有システムの概略的なブロック図を示す。
【００１６】
図１において、情報共有システム１０は、入出力部１、情報検索・参照部２、情報登録
部３、回答ユーザ判定部４、データベース５、ユーザ情報データベース６から構成されて
いる。情報登録部３は、個人の知識やノウハウなどを記述した文書、コンピュータ・ソフ
トウェア、絵画、映像などの情報を生成して、データベース５に蓄積するようになってい
る。
【００１７】
情報検索・参照部２は、ユーザが入力した検索要求から、データベース５に蓄積された
情報を検索し、その情報参照、利用するためのものである。回答ユーザ判定部４は、ユー
ザが入力した検索要求に適合する情報が検索されなかった場合に、データベース５とユー
ザ情報データベース６の蓄積内容から、検索要求の回答を要求するユーザを判定するため
のものである。
【００１８】
ユーザは入出力部１を用いて、情報を登録し、検索要求を入力し、情報検索・参照部２
は入出力部１を用いてユーザに検索結果や公開情報を提示する。また、ユーザは提示され
た情報の中に検索要求に適合するものがない場合に、入出力部１を用いて情報検索部にフ
ィードバックすることができる。
【００１９】
図２は、このような情報共有システムにおけるデータベース５に蓄積される公開情報の
内容を示す。各種情報は、図２に示すように情報識別番号（ＩＤ）２１と属性２２およひ
属性値２３から構成される。属性には、題目、登録ユーザＩＤ、登録日、情報の種類（ノ
ウハウ、文書、ソフトウェア、画像データなど）を表す分類、関連情報、検索のためのキ
ーワード、内容、参照履歴などがある。参照履歴には公開情報を過去に参照したユーザの
ＩＤと参照日時を記録したファイル名が記述される。
【００２０】
図３は参照履歴を記録したファイルの内容の例である。ファイルの各行には参照日、参
照時刻、参照ユーザＩＤが記録されている。
【００２１】
図４は、ユーザ情報データベース６に蓄積されるユーザ情報の内容の一例を示すもので
ある。ユーザ情報は、情報識別番号（ＩＤ）４１と属性４２および属性値４３から構成さ
れる。属性には、ユーザの名前、所属する組織、性別、年齢などがある。また、ユーザの
情報の参照履歴を保存した参照履歴ファイルの情報が蓄積される。参照履歴ファイルには
ユーザが過去に参照した情報のＩＤと参照した日時が、参照履歴として保存される。
【００２２】
図５は参照履歴を記録したファイルの内容の例である。ファイルの各行には参照日、参
照時刻、参照したデータのＩＤが記録されている。
【００２３】
図６は、本実施例におけるユーザがシステムに対して検索要求を入力するインタフェー
スの一実現例である。ユーザは検索要求入力フィールド６１上で、システムに提示してほ
しい情報に関する特徴を自然言語の文で入力する。検索実行ボタン６２を指示することで
システムに検索を実行させる。
【００２４】
この他、キーワードの論理式で要求入力する方法、あらかじめ準備されたキーワードの
メニューの中から適当なキーワードを選択する方法などが考えられるが、本願発明では検
索要求の入力方法については実現方法を限定しない。
【００２５】
図７は、ユーザから与えられた検索要求に適合する情報をシステムがデータベースから
検索する手順を示したフローチャートである。システムはユーザの検索要求に対して、形
態素解析などの文法的な解析を行い（ステップ７１、ステップ７２）、キーワードを抽出
する（ステップ７３）。一方、データベース中のデータには、それぞれキーワードが付加
されている。システムは検索要求中のキーワードが付加されているデータをデータベース
中から検索し、データの本文中に検索要求のキーワードが出現する頻度を計算して、検索
要求とデータの間の類似度を計算する（ステップ７４）。
【００２６】
類似度が一定の閾値より大きいデータについて、そのＩＤおよびタイトルを一覧として
表示する（ステップ７５、７６）。図８はタイトル一覧の表示例である。ユーザは、タイ
トル一覧８１に提示された情報をマウスなどの入力デバイスを用いて指示することにより
、情報の内容を表示させることができる。図９は、情報の内容の表示例である。
【００２７】
タイトル一覧、あるいは情報の内容を表示した後に、ユーザが自分の入力した検索要求
に適合する情報が提示されなかったと判断した場合、ユーザは回答入力要求ボタン８２を
指示することにより、他のユーザに検索要求の回答となるデータの入力を要求することが
できる。図１０は、回答データの入力を要求する画面の例である。
【００２８】
回答入力を要求するユーザＩＤを入力フィールド１０１上で入力することにより直接指
定することができる。また、回答できるユーザの呈示ボタン１０３を指示することにより
、システムに回答できるユーザの紹介を要求することができる。
【００２９】
図１１は、検索要求に適合する情報が存在しない場合に、システムが回答できるユーザ
を決定する手順について説明した、フローチャートである。まず、検索要求から生成され
た公開情報一覧の情報を登録したユーザの集合を作成する。その集合をユーザＩＤ毎に分
類し、ユーザＩＤに対する公開情報の集合Ｕを生成する（Ｓ１１０１〜Ｓ１１０３）。
【００３０】
次に、各集合毎に検索要求との類似度を計算する（Ｓ１１０５〜Ｓ１１０６）。まず、
集合に属する各要素について、データ中に出現するキーワードの個数と、データ中への出
現頻度による重み付けを行い、類似度を計算する。また、情報毎に登録された日時を用い
た重み付けを行なう。ここで、登録された日時を用いた重み付けとは、例えば、情報が登
録された日時が現在より１ヶ月前以内であれば、重みを増すといった操作である。ユーザ
毎にこれらデータの評価値を合計したものを集合の評価値とする。
【００３１】
次に、集合を登録したユーザと検索要求を入力したユーザの関係にもとづいた重み付け
を行なう（Ｓ１１０８）。この重み付けとは、例えば、検索要求を入力したユーザと組織
内での位置が近い（同じ部署に所属している、同じ経験年数である、同性であるなどの関
係が成り立つ）ユーザの登録した情報については重みを増すというような操作である。
【００３２】
この操作により得られた評価値が一定の閾値を越えるものについては、その集合を登録
したユーザＩＤを回答可能ユーザであると判断する（Ｓ１１０９〜Ｓ１１１１）。システ
ムは回答可能ユーザであると判断したユーザＩＤの一覧をユーザに呈示し、これらのユー
ザに検索要求への回答を登録するように依頼するメッセージを通知する。依頼メッセージ
は、電子メール、ウィンドウのポップアップなどが考えられるが、本実施例ではその方法
は限定しない。
【００３３】
次に、検索要求に適合する情報の一覧ではなく、ユーザの一覧を要求された場合のシス
テムの処理について説明する。図６の検索要求入力ウィンドウ上で、「ユーザを検索」ボ
タン６３をユーザが指示することで、システムは検索要求入力フィールドに入力された検
索要求に関連する情報を多数入力しているユーザが誰であるかを検索し、ユーザ名の一覧
を表示する。
【００３４】
システムは、あらかじめ、データベース５中に蓄積されている全データを登録ユーザ毎
に分類し、各ユーザに対してキーワードのインデキシングを行なっておく。これはユーザ
の登録した各データに対するキーワードのインデキシングを重ねあわせることにより、実
現する。
【００３５】
ユーザから検索要求に回答できるユーザ一覧の呈示を要求された場合には、ユーザ毎の
インデキシングによる類似度の計算結果と、登録したユーザと検索要求を入力したユーザ
の関係を用いて重み付けを行ない、評価値が一定の閾値を越えるユーザについてはこれを
一覧にして呈示する。図１２はユーザ一覧のリストを表示する画面の一例である。検索結
果表示ウィンドウ１２０１上に、検索要求に類似するデータを多く登録しているユーザの
一覧１２０２が表示される。「登録データ一覧」ボタン１２０３を指示することにより、
そのユーザがこれまで登録してきたデータの一覧を表示するウィンドウ１２０４をポップ
アップさせることができる。
【００３６】
以上説明したように、第一の実施例によれば、システムが検索要求に対して適合する回
答を呈示できない場合に、どのユーザに回答の入力を要求すればよいかを呈示することが
可能になる。検索要求を入力するユーザにとっては、回答を知っていそうなユーザに回答
入力の要求が行えるので、期待するデータが登録される可能性が高くなる。
【００３７】
回答を要求されるユーザにとっては、自分が大量にデータを登録している分野に関する
質問についてのみ回答を要求されるので、回答を知らない質問にわずらわされる必要がな
くなり、自分の知っている情報を効率よく登録することができる。これにより、情報の共
有がスムーズに行えるようになる。
【００３８】
［第２の実施例］（好むユーザの登録）
次に、本発明の第２の実施例について説明する。図１３は、第２の実施例の情報共有シ
ステムに係るブロック図の概略を示したものである。
【００３９】
本実施例では、情報共有システム１０は、入出力部１、情報登録部２、情報検索・参照
部３、ユーザ識別部７、データベース５、ユーザ情報データベース６から構成されている
。ここで、ユーザ識別部７以外の構成要素については第一の実施例の図１に示したものと
同じである。
【００４０】
ユーザ識別部７は、システムに情報の登録あるいは検索を要求するユーザを識別するた
めのものである。システムはユーザ識別部７によってシステムを利用するユーザを識別し
、ユーザに応じて呈示する情報を変えることができる。
【００４１】
ユーザを識別する方法としては、ユーザ毎のパスワードを定めてこれを入力させ、シス
テムが記憶しているパスワードと照合することでユーザを特定する方法が一般的であるが
、ここでは識別方法については限定しない。
【００４２】
次に、あるユーザが参照した情報の履歴から、ユーザ毎に好むユーザを自動的に判別す
る方法について、図１４のフローチャートを用いて説明する。システムは、アクセスする
ユーザを識別する（Ｓ１４０１）。この識別結果にもとづいて、ユーザ情報データベース
からユーザ毎の参照履歴を読み出して、過去にそのユーザが表示を要求したデータを登録
ユーザ毎に分類したテーブルを生成する（Ｓ１４０２）。図１５はそのテーブルの表現例
である。
【００４３】
次に、システムはユーザの要求を受け付ける（Ｓ１４０３）。図１６はユーザから受け
付けた検索要求に対する回答を表示した画面の一実現例である。ユーザは、検索結果表示
ウィンドウ１６０１上で、タイトル一覧表示部分１６０２に表示されたタイトルをマウス
などの入力デバイスを用いて指示することにより、データの本文を表示させることができ
る。また、タイトル一覧中に回答と思われるデータが存在しない場合には、「次候補」ボ
タン１６０３を指示することにより、より得点の低いデータのタイトル一覧を表示させる
ことができる。
【００４４】
また、「回答ユーザの紹介」ボタン１６０４で検索要求に対する回答を他のユーザに問
い合わせることも、検索要求入力フィールド１６０５で別の検索要求を入力することもで
きる。
【００４５】
システムは、ユーザの入力がデータの表示要求である場合には、要求されたデータを表
示し、登録ユーザ毎のデータ表示テーブルで、今回表示を要求されたデータの登録ユーザ
に対する参照数の部分をカウントアップする。同時に、これまでのデータ参照回数の総数
もカウントアップする（Ｓ１４０７）。
【００４６】
次に、登録ユーザのデータの参照回数と、全体のデータ参照回数から登録ユーザを「好
むユーザ」とするかどうかを判断する（Ｓ１４０８）。例えば、全体のデータ参照回数の
うち、ある特定のユーザの登録したデータを参照した回数が一定の割合を超えた場合に、
そのユーザを「好むユーザ」と判断する。あるユーザＡが、ユーザＢの「好むユーザ」で
あると判断された場合、システムはユーザ情報データベースのユーザＡのデータに、その
旨を記録する。
【００４７】
この他にも、単純に参照回数が一定の回数を超えた場合に「好むユーザ」にする方法、
参照履歴の参照日時の項を利用してある一定の期間の間の全参照数の中に占める特定のユ
ーザの登録データの参照回数が一定比率を超えた場合に「好むユーザ」にする方法などが
考えられる。
【００４８】
あるユーザＡを「好むユーザ」であるとシステムが判定した場合、検索要求に対する検
索結果一覧の表示の際に、ユーザＡの登録したデータの表示方法を変えることができる（
Ｓ１４０４〜Ｓ１４０６）。すなわち、第一の実施例の検索要求に対する処理と同様に、
検索要求とデータの類似度にもとづいてリストを生成し、リスト中のデータの登録ユーザ
が好むユーザであるかどうかによって、データの重みを変更する。
【００４９】
図１７は「好むユーザ」の登録したデータの表示方法を変える場合の一画面例である。
この例では「好むユーザ」の登録したデータのタイトルの前にアイコン１７０１を表示す
ることで、「好むユーザ」の登録したデータであることをユーザに示している。
【００５０】
この他、表示されるタイトルの色を変える、タイトルの文字の大きさや形状を変える、
タイトルの文字を点滅させるなどの方法が考えれられる。また、「好むユーザ」の登録し
た情報のみをリストにして表示することも可能である。
【００５１】
また、ユーザ情報データベースに蓄積された「好むユーザ」の情報をもとに、ユーザに
対して、「自分を「好むユーザ」としているユーザの一覧」を呈示することができる。図
１８は自分を好むユーザとしているユーザの一覧の表示例である。お好みユーザ情報ウィ
ンドウ１８０１には、自分を「好むユーザ」としているユーザの一覧１８０２が表示され
る。ユーザ一覧の名前の部分を指示することにより、そのユーザに対してメイルを送るな
ど、コミュニケーションをはかることもできる。
【００５２】
また、あるユーザＡの「好むユーザ」が新規に情報をデータベースに登録した場合に、
システムが新規にデータが登録されたことをユーザＡに通知することができる。図１９は
「好むユーザによりデータが登録された」ことをユーザに通知する画面の実現例である。
この例では、情報登録通知ウィンドウ１９０１がユーザの作業している画面上にポップア
ップして来る。ユーザがタイトル部分１９０２を指示することにより、新規に登録された
情報を見ることができる。
【００５３】
本実施例では、あるユーザが「好むユーザ」であるかそうでないかを二者択一的に判断
しているが、ユーザの情報の参照回数の頻度に応じて、段階的に「好むユーザ」である度
合いを変化させることも考えられる。
【００５４】
また、表示されたデータに対して「役に立つ」「情報が古い」などの評価を入力できる
ようにし、好意的な評価が入力された回数に応じて、あるユーザを「好むユーザ」に加え
る方法も考えられる。図２０は評価入力画面の実現例である。評価入力ウィンドウ２００
１上には、データのタイトル２００２と評価ボタン２００３が表示され、ユーザが評価ボ
タン２００３のうち一つを選択して指示することにより、データに評価が入力される。デ
ータに対する評価の入力とその利用法については、特開平１０−８３３８６に詳しい。
【００５５】
また、本実施例と同様の構成で、「好まないユーザ」であることをユーザ情報データベ
ースに記録することも出来る。タイトル一覧が表示されたときに選択されなかった回数を
記録して、それが一覧に表示されたデータの総数に占める割合を計算し、ある一定の割合
を超えたユーザについては「好まないユーザ」と判定する方法、また図の評価ボタンで非
好意的な評価が入力された回数に応じて「好まないユーザ」に加える方法も考えられる。
【００５６】
あるユーザＡがユーザＢの「好まないユーザ」として記録されている場合、システムは
検索要求にもとづいてデータのタイトル一覧を作成する場合に、「好まないユーザ」の登
録したデータの表示順位を下げるなどの操作を行うことができる。
【００５７】
以上、説明したように第２の実施例によれば、システムが多数のデータ登録者の中から
自分に役立つデータを登録しているユーザを「好むユーザ」として呈示するので、検索要
求を入力するユーザにとっては、大量のデータの中から自分が興味のあるデータを効率よ
く探し出すことができる。また、自分が他のユーザの「好むユーザ」となっていることが
参照できることで、データを登録するユーザにとっては登録の動機付けがなされる。これ
により、情報の共有が促進される。
【００５８】
また、本願発明の実施例における処理をコンピュータで実行可能なプログラムで実現し
、このプログラムをコンピュータで読み取り可能な記憶媒体として実現することも可能で
ある。
【００５９】
なお、本願発明における記憶媒体としては、磁気ディスク、フロッピー（Ｒ）ディスク
、ハードディスク、光ディスク（ＣＤ−ＲＯＭ，ＣＤ−Ｒ，ＤＶＤ等）、光磁気ディスク
（ＭＯ等）、半導体メモリ等、プログラムを記憶でき、かつコンピュータが読み取り可能
な記憶媒体であれば、その記憶形式は何れの形態であってもよい。
【００６０】
また、記憶媒体からコンピュータにインストールされたプログラムの指示に基づきコン
ピュータ上で稼動しているＯＳ（オペレーションシステム）や、データベース管理ソフト
、ネットワーク等のＭＷ（ミドルウェア）等が本実施形態を実現するための各処理の一部
を実行してもよい。
【００６１】
さらに、本願発明における記憶媒体は、コンピュータと独立した媒体に限らず、ＬＡＮ
やインターネット等により伝送されたプログラムをダウンロードして記憶または一時記憶
した記憶媒体も含まれる。
【００６２】
また、記憶媒体は１つに限らず、複数の媒体から本実施形態における処理が実行される
場合も、本発明における記憶媒体に含まれ、媒体の構成は何れの構成であってもよい。
【００６３】
なお、本願発明におけるコンピュータは、記憶媒体に記憶されたプログラムに基づき、
本実施形態における各処理を実行するものであって、パソコン等の１つからなる装置、複
数の装置がネットワーク接続されたシステム等の何れの構成であってもよい。
【００６４】
また、本願発明におけるコンピュータとは、パソコンに限らず、情報処理機器に含まれ
る演算処理装置、マイコン等も含み、プログラムによって本願発明の機能を実現すること
が可能な機器、装置を総称している。
【図面の簡単な説明】
【００６５】
【図１】本発明の実施形態に係る情報共有システムの全体の構成を概略的に示した図。
【図２】データベースに蓄積された情報の一例を示した図。
【図３】データベースに蓄積された情報の一例を示した図。
【図４】ユーザ情報データベースに蓄積されたユーザ情報の一例を示した図。
【図５】ユーザ情報データベースに蓄積されたユーザ情報の一例を示した図。
【図６】情報検索・参照部の表示画面の一例を示した図。
【図７】情報公開装置の処理の流れを示すフローチャート。
【図８】情報検索・参照部の表示画面の一例を示した図。
【図９】情報検索・参照部の表示画面の一例を示した図。
【図１０】情報検索・参照部の表示画面の一例を示した図。
【図１１】回答ユーザ判定部の処理の流れを示すフローチャート。
【図１２】情報検索・参照部の表示画面の一例を示した図。
【図１３】本発明の第２の実施例に係る情報公開システムの構成を概略的に示した図。
【図１４】情報公開システムの処理の流れを示すフローチャート。
【図１５】ユーザ情報データベースに蓄積される情報の一例を示した図。
【図１６】情報検索・参照部の表示画面の一例を示した図。
【図１７】情報検索・参照部の表示画面の一例を示した図。
【図１８】情報検索・参照部の表示画面の一例を示した図。
【図１９】情報検索・参照部の表示画面の一例を示した図。
【図２０】情報検索・参照部の表示画面の一例を示した図。
【符号の説明】
【００６６】
１…入出力部
２…情報検索・参照部
３…情報登録部
４…回答ユーザ判定部
５…データベース
６…ユーザ情報データベース
７…ユーザ識別部
１０…情報共有システム
【図１】
2005353083.tif 000003
【図２】
2005353083.tif 000004
【図３】
2005353083.tif 000005
【図４】
2005353083.tif 000006
【図５】
2005353083.tif 000007
【図６】
2005353083.tif 000008
【図７】
2005353083.tif 000009
【図８】
2005353083.tif 000010
【図９】
2005353083.tif 000011
【図１０】
2005353083.tif 000012
【図１１】
2005353083.tif 000013
【図１２】
2005353083.tif 000014
【図１３】
2005353083.tif 000015
【図１４】
2005353083.tif 000016
【図１５】
2005353083.tif 000017
【図１６】
2005353083.tif 000018
【図１７】
2005353083.tif 000019
【図１８】
2005353083.tif 000020
【図１９】
2005353083.tif 000021
【図２０】
2005353083.tif 000022